(57)【要約】【課題】本発明は、着用可能デバイスのための電力消費制御方法および着用可能デバイスを提供する。【解決手段】方法は、着用可能デバイスのモデムがオフ状態にある場合、短距離通信の方式で端末によって送信される遠隔無線通信サービス情報を受け取るステップ、または着用可能デバイスのモデムがオン状態にある場合、着用可能デバイスによって、ネットワークデバイスによって送られる遠隔無線通信サービスの内容を受け取るステップを含む。本発明において提供される方法によれば、着用可能デバイスの待機時間が延長される。【選択図】図１
2018129827.tif 000002
【特許請求の範囲】
【請求項１】
着用可能デバイスのための電力消費制御方法であって、
前記着用可能デバイスのモデムがオフ状態にある場合、前記着用可能デバイスによって、短距離通信の方式で端末によって送信される遠隔無線通信サービス情報を受け取るステップであって、前記遠隔無線通信サービス情報は、遠隔無線通信サービスのプロンプトメッセージまたは遠隔無線通信サービスの内容を含み、前記遠隔無線通信サービスの前記プロンプトメッセージは、ユーザを促して前記モデムをターンオンするかどうかを決定するために使用されるステップと、
前記着用可能デバイスのモデムがオン状態にある場合、前記着用可能デバイスによって、ネットワークデバイスによって送られる前記遠隔無線通信サービスの内容を受け取るステップと
を含むことを特徴とする方法。
【請求項２】
前記遠隔無線通信サービス情報が前記遠隔無線サービスの前記プロンプトメッセージを含んでいる場合、前記着用可能デバイスのモデムがオフ状態にある場合に、前記着用可能デバイスによって、短距離通信の方式で端末によって送信される遠隔無線通信サービス情報を受け取る前記ステップの後、前記方法は、
前記着用可能デバイスの前記モデムがオフ状態にある場合、前記着用可能デバイスによって、前記ユーザによって入力される選択命令に従って前記モデムをターンオンするステップであって、前記選択命令は、前記遠隔無線通信サービスの前記プロンプト情報に従って前記ユーザによって入力される、前記モデムをターンオンすることを選択する命令であるステップと、
前記着用可能デバイスによって、また、前記モデムを使用することによって、前記ネットワークデバイスによって送られる前記遠隔無線通信サービスの前記内容を処理するステップと
を含むことを特徴とする請求項１に記載の方法。
【請求項３】
前記遠隔無線通信サービス情報が前記遠隔無線通信サービスの前記内容を含んでいる場合、前記着用可能デバイスのモデムがオフ状態にある場合に、前記着用可能デバイスによって、短距離通信の方式で端末によって送信される遠隔無線通信サービス情報を受け取る前記ステップの後、前記方法は、
前記着用可能デバイスによって、また、前記短距離通信の方式で、前記遠隔無線通信サービスの前記内容に対する応答情報を前記端末に送信するステップであって、それにより前記端末は前記ネットワークデバイスに前記応答情報を送り、前記応答情報は、前記ユーザによって、前記遠隔無線通信サービスの前記内容に従って前記着用可能デバイス上で応答される情報であるステップ
を含むことを特徴とする請求項１に記載の方法。
【請求項４】
前記着用可能デバイスのモデムがオフ状態にある場合に、前記着用可能デバイスによって、短距離通信の方式で端末によって送信される遠隔無線通信サービス情報を受け取る前記ステップの前に、前記方法は、
前記着用可能デバイスによって、また、前記短距離通信の方式で、指定された通信ソフトウェアを開始する命令を前記端末に送るステップであって、それにより前記端末は、前記命令に従って、前記指定された通信ソフトウェアを開始するか、または前記ユーザを促して前記指定された通信ソフトウェアを開始し、また、前記端末は、前記指定された通信ソフトウェアの新しいメッセージを受け取り、かつ、前記新しいメッセージを前記着用可能デバイスに転送するステップ
を含むことを特徴とする請求項１乃至３のいずれか一項に記載の方法。
【請求項５】
前記遠隔無線通信サービスの前記内容は、前記ネットワークデバイスによって、前記着用可能デバイスの情報伝達設定に従って前記端末に送られることを特徴とする請求項１乃至４のいずれか一項に記載の方法。
【請求項６】
前記遠隔無線通信サービスの前記内容は、前記ネットワークデバイスによって、登録された通信ソフトウェアのユーザ名に従って前記端末に送られることを特徴とする請求項１乃至４のいずれか一項に記載の方法。
【請求項７】
着用可能デバイスであって、
前記着用可能デバイスのモデムがオフ状態にある場合、受信器を制御して、短距離通信の方式で端末によって送信される遠隔無線通信サービス情報を受け取るように構成された制御モジュールであって、前記遠隔無線通信サービス情報は、遠隔無線通信サービスのプロンプトメッセージまたは遠隔無線通信サービスの内容を含み、また、前記遠隔無線通信サービスの前記プロンプトメッセージは、ユーザを促して前記モデムをターンオンするかどうかを決定するために使用される制御モジュール
を備え、
前記制御モジュールは、前記着用可能デバイスの前記モデムがオン状態にある場合、前記受信器を制御して、ネットワークデバイスによって送られる前記遠隔無線通信サービスの前記内容を受け取るようにさらに構成されることを特徴とする着用可能デバイス。
【請求項８】
前記遠隔無線通信サービス情報が前記遠隔無線サービスの前記プロンプトメッセージを含んでいる場合、前記着用可能デバイスは、
スイッチモジュールであって、前記着用可能デバイスの前記モデムがオフ状態にある場合に、前記制御モジュールが前記受信器を制御して、前記短距離通信の方式で前記端末によって送信される前記遠隔無線通信サービス情報を受け取った後、前記ユーザによって入力される選択命令に従って前記モデムをターンオンするように構成され、前記選択命令は、前記遠隔無線通信サービスの前記プロンプト情報に従って前記ユーザによって入力される、前記モデムをターンオンすることを選択する命令であるスイッチモジュール
をさらに備え、
前記制御モジュールは、とりわけ、前記モデムを制御して、前記遠隔デバイスによって送られる前記遠隔無線通信サービスの前記内容を処理するように構成されることを特徴とする請求項７に記載の着用可能デバイス。
【請求項９】
前記遠隔無線通信サービス情報が前記遠隔無線通信サービスの前記内容を含んでいる場合、前記制御モジュールは、前記着用可能デバイスの前記モデムがオフ状態にある場合に、前記受信器を制御して、前記短距離通信の方式で前記端末によって送信される前記遠隔無線通信サービス情報を受け取った後、送信器を制御して、前記短距離通信の方式で、前記遠隔無線通信サービスの前記内容に対する応答情報を前記端末に送信し、それにより前記端末は前記ネットワークデバイスに前記応答情報を送るようにさらに構成され、前記応答情報は、前記ユーザによって、前記遠隔無線通信サービスの前記内容に従って前記着用可能デバイス上で応答される情報であることを特徴とする請求項７に記載の着用可能デバイス。
【請求項１０】
前記制御モジュールは、前記着用可能デバイスの前記モデムがオフ状態にある場合に、前記受信器を制御して、前記短距離通信の方式で前記端末によって送信される前記遠隔無線通信サービス情報を受け取る前に、前記送信器を制御して、前記短距離通信の方式で、指定された通信ソフトウェアを開始する命令を前記端末に送り、それにより前記端末は、前記命令に従って、前記指定された通信ソフトウェアを開始するか、または前記ユーザを促して前記指定された通信ソフトウェアを開始し、また、前記端末は、前記指定された通信ソフトウェアの新しいメッセージを受け取り、かつ、前記新しいメッセージを前記着用可能デバイスに転送するようにさらに構成されることを特徴とする請求項７乃至９のいずれか一項に記載の着用可能デバイス。
【請求項１１】
前記遠隔無線通信サービスの前記内容は、前記ネットワークデバイスによって、前記着用可能デバイスの情報伝達設定に従って前記端末に送られることを特徴とする請求項７乃至１０のいずれか一項に記載の着用可能デバイス。
【請求項１２】
前記遠隔無線通信サービスの前記内容は、前記ネットワークデバイスによって、登録された通信ソフトウェアのユーザ名に従って前記端末に送られることを特徴とする請求項７乃至１０のいずれか一項に記載の着用可能デバイス。
【請求項１３】
着用可能デバイスであって、
前記着用可能デバイスのモデムがオフ状態にある場合、受信器を制御して、短距離通信の方式で端末によって送信される遠隔無線通信サービス情報を受け取るように構成されたプロセッサであって、前記遠隔無線通信サービス情報は、遠隔無線通信サービスのプロンプトメッセージまたは遠隔無線通信サービスの内容を含み、また、前記遠隔無線通信サービスの前記プロンプトメッセージは、ユーザを促して前記モデムをターンオンするかどうかを決定するために使用されるプロセッサ
を備え、
前記プロセッサは、前記着用可能デバイスの前記モデムがオン状態にある場合、前記受信器を制御して、ネットワークデバイスによって送られる前記遠隔無線通信サービスの前記内容を受け取るようにさらに構成されることを特徴とする着用可能デバイス。
【請求項１４】
前記遠隔無線通信サービス情報が前記遠隔無線サービスの前記プロンプトメッセージを含んでいる場合、前記プロセッサは、前記着用可能デバイスの前記モデムがオフ状態にある場合に、前記受信器を制御して、前記短距離通信の方式で前記端末によって送信される前記遠隔無線通信サービス情報を受け取った後、前記ユーザによって入力される選択命令に従って前記モデムをターンオンするようにさらに構成され、前記選択命令は、前記遠隔無線通信サービスの前記プロンプト情報に従って前記ユーザによって入力される、前記モデムをターンオンすることを選択する命令であり、
前記プロセッサは、とりわけ、前記モデムを制御して、前記遠隔デバイスによって送られる前記遠隔無線通信サービスの前記内容を処理するように構成されることを特徴とする請求項１３に記載の着用可能デバイス。
【請求項１５】
前記遠隔無線通信サービス情報が前記遠隔無線通信サービスの前記内容を含んでいる場合、前記プロセッサは、前記着用可能デバイスの前記モデムがオフ状態にある場合に、前記受信器を制御して、前記短距離通信の方式で前記端末によって送信される前記遠隔無線通信サービス情報を受け取った後、送信器を制御して、前記短距離通信の方式で、前記遠隔無線通信サービスの前記内容に対する応答情報を前記端末に送信するようにさらに構成され、それにより前記端末は前記ネットワークデバイスに前記応答情報を送り、前記応答情報は、前記ユーザによって、前記遠隔無線通信サービスの前記内容に従って前記着用可能デバイス上で応答される情報であることを特徴とする請求項１３に記載の着用可能デバイス。
【請求項１６】
前記プロセッサは、前記着用可能デバイスの前記モデムがオフ状態にある場合に、前記受信器を制御して、前記短距離通信の方式で前記端末によって送信される前記遠隔無線通信サービス情報を受け取る前に、前記送信器を制御して、前記短距離通信の方式で、指定された通信ソフトウェアを開始する命令を前記端末に送るようにさらに構成され、それにより前記端末は、前記命令に従って、前記指定された通信ソフトウェアを開始するか、または前記ユーザを促して前記指定された通信ソフトウェアを開始し、また、前記端末は、前記指定された通信ソフトウェアの新しいメッセージを受け取り、かつ、前記新しいメッセージを前記着用可能デバイスに転送することを特徴とする請求項１３乃至１５のいずれか一項に記載の着用可能デバイス。
【請求項１７】
前記遠隔無線通信サービスの前記内容は、前記ネットワークデバイスによって、前記着用可能デバイスの情報伝達設定に従って前記端末に送られることを特徴とする請求項１３乃至１６のいずれか一項に記載の着用可能デバイス。
【請求項１８】
前記遠隔無線通信サービスの前記内容は、前記ネットワークデバイスによって、登録された通信ソフトウェアのユーザ名に従って前記端末に送られることを特徴とする請求項１３乃至１６のいずれか一項に記載の着用可能デバイス。
【発明の詳細な説明】
【技術分野】
【０００１】
本発明は通信技術の分野に関し、また、詳細には着用可能デバイスのための電力消費制御方法および着用可能デバイスに関する。
【背景技術】
【０００２】
着用可能デバイスとは、着用可能であるデバイス、およびスマートグラス、スマートグローブ、スマートウォッチ、スマートクローズまたはスマートシューズなどの日常着用品のための知的設計に着用可能技術を適用することによって開発されるデバイスの総称である。デバイスのなかでも、スマートウォッチおよびスマートバンドは最も有名である。さらに、スマート着用可能デバイスの急速な発展により、着用可能デバイスの機能は、ますますより強力になっている。機能発展と同時に、着用可能デバイス、とりわけ無線データ通信機能を有する着用可能デバイスの電力消費も急激に増加している。着用可能デバイスにおける、静止待機状態にある無線ネットワーク機能モジュールの電力消費は比較的多いため、着用可能デバイスの待機時間が低減されている。さらに、着用可能デバイスのサイズが制限されているため、電池容量を無制限に大きくすることによって製品の電池寿命を改善することは不可能である。したがってエネルギー節約技術は、着用可能デバイスの開発のための主要技術指針になっている。
【０００３】
しかしながら従来技術には、着用可能デバイスの待機時間（すなわち着用可能デバイスの電池寿命）を延長する方法のための対応する技術的解決法は存在していない。したがって、現在、着用可能デバイスの電力消費を少なくして着用可能デバイスの待機時間を延長する方法が緊急に解決されるべき技術的問題になっている。
【発明の概要】
【課題を解決するための手段】
【０００４】
本発明の実施形態は、着用可能デバイスの待機時間が有効に延長され得ない従来技術の技術的問題を解決するために、着用可能デバイスのための電力消費制御方法および着用可能デバイスを提供する。
【０００５】
第１の態様によれば、本発明は、着用可能デバイスのための電力消費制御方法を提供し、方法は、
着用可能デバイスのモデムがオフ状態にある場合、着用可能デバイスによって、短距離通信の方式で端末によって送信される遠隔無線通信サービス情報を受け取るステップであって、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用されるステップ、または、
着用可能デバイスのモデムがオン状態にある場合、着用可能デバイスによって、ネットワークデバイスによって送られる遠隔無線通信サービスの内容を受け取るステップ
を含む。
【０００６】
第１の態様を参照すると、第１の態様の第１の可能実施態様方式では、遠隔無線通信サービス情報が遠隔無線通信サービスのプロンプトメッセージを含んでいる場合、着用可能デバイスのモデムがオフ状態にある場合に、着用可能デバイスによって、短距離通信の方式で端末によって送信される遠隔無線通信サービス情報を受け取るステップの後、方法は、
着用可能デバイスのモデムがオフ状態にある場合、着用可能デバイスによって、ユーザによって入力される選択命令に従ってモデムをターンオンするステップであって、選択命令は、遠隔無線通信サービスのプロンプト情報に従ってユーザによって入力される、モデムをターンオンすることを選択する命令であるステップと、
着用可能デバイスによって、また、モデムを使用することによって、受け取った遠隔無線通信サービスの内容を処理するステップと
を含む。
【０００７】
第１の態様を参照すると、第１の態様の第２の可能実施態様方式では、遠隔無線通信サービス情報が遠隔無線通信サービスの内容を含んでいる場合、着用可能デバイスのモデムがオフ状態にある場合に、着用可能デバイスによって、短距離通信の方式で端末によって送信される遠隔無線通信サービス情報を受け取るステップの後、方法は、
着用可能デバイスによって、また、短距離通信の方式で、遠隔無線通信サービスの内容に対する応答情報を端末に送信するステップであって、それにより端末はネットワークデバイスに応答情報を送り、応答情報は、ユーザによって、遠隔無線通信サービスの内容に従って着用可能デバイス上で応答される情報であるステップ
を含む。
【０００８】
第１の態様または第１の態様の第１の可能実施態様方式および第２の可能実施態様方式のうちの任意の１つを参照すると、第１の態様の第３の可能実施態様方式では、着用可能デバイスのモデムがオフ状態にある場合に、着用可能デバイスによって、短距離通信の方式で端末によって送信される遠隔無線通信サービス情報を受け取るステップの前に、方法は、
着用可能デバイスによって、また、短距離通信の方式で、指定された通信ソフトウェアを開始する命令を端末に送るステップであって、それにより端末は、命令に従って、指定された通信ソフトウェアを開始するか、またはユーザを促して指定された通信ソフトウェアを開始し、また、端末は、指定された通信ソフトウェアの新しいメッセージを受け取り、かつ、新しいメッセージを着用可能デバイスに転送するステップ
を含む。
【０００９】
第１の態様または第１の態様の第１の可能実施態様方式乃至第３の可能実施態様方式のうちの任意の１つを参照すると、第１の態様の第４の可能実施態様方式では、遠隔無線通信サービスの内容は、ネットワークデバイスによって、着用可能デバイスの情報伝達設定に従って端末に送られる。
【００１０】
第１の態様または第１の態様の第１の可能実施態様方式乃至第３の可能実施態様方式のうちの任意の１つを参照すると、第１の態様の第５の可能実施態様方式では、遠隔無線通信サービスの内容は、ネットワークデバイスによって、登録された通信ソフトウェアのユーザ名に従って端末に送られる。
【００１１】
第２の態様によれば、本発明の実施形態は、着用可能デバイスであって、
着用可能デバイスのモデムがオフ状態にある場合、受信器を制御して、短距離通信の方式で端末によって送信される遠隔無線通信サービス情報を受け取るように構成された制御モジュールであって、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用される制御モジュール
を含む着用可能デバイスを提供し、
制御モジュールは、着用可能デバイスのモデムがオン状態にある場合、受信器を制御して、ネットワークデバイスによって送られる遠隔無線通信サービスの内容を受け取るようにさらに構成される。
【００１２】
第２の態様を参照すると、第２の態様の第１の可能実施態様方式では、遠隔無線通信サービス情報が遠隔無線サービスのプロンプトメッセージを含んでいる場合、着用可能デバイスは、
スイッチモジュールであって、着用可能デバイスのモデムがオフ状態にある場合に、制御モジュールが受信器を制御して、短距離通信の方式で端末によって送信される遠隔無線通信サービス情報を受け取った後、ユーザによって入力される選択命令に従ってモデムをターンオンするように構成され、選択命令は、遠隔無線通信サービスのプロンプト情報に従ってユーザによって入力される、モデムをターンオンすることを選択する命令であるスイッチモジュール
をさらに含み、
制御モジュールは、モデムを制御して、受信器によって受け取られる遠隔無線通信サービスの内容を処理する。
【００１３】
第２の態様を参照すると、第２の態様の第２の可能実施態様方式では、遠隔無線通信サービス情報が遠隔無線通信サービスの内容を含んでいる場合、制御モジュールは、着用可能デバイスのモデムがオフ状態にある場合に、受信器を制御して、短距離通信の方式で端末によって送信される遠隔無線通信サービス情報を受け取った後、送信器を制御して、短距離通信の方式で、遠隔無線通信サービスの内容に対する応答情報を端末に送信し、それにより端末はネットワークデバイスに応答情報を送るようにさらに構成され、応答情報は、ユーザによって、遠隔無線通信サービスの内容に従って着用可能デバイス上で応答される情報である。
【００１４】
第２の態様または第２の態様の第１の可能実施態様方式乃至第２の可能実施態様方式のうちの任意の１つを参照すると、第２の態様の第３の可能実施態様方式では、制御モジュールは、着用可能デバイスのモデムがオフ状態にある場合に、受信器を制御して、短距離通信の方式で端末によって送信される遠隔無線通信サービス情報を受け取る前に、送信器を制御して、短距離通信の方式で、指定された通信ソフトウェアを開始する命令を端末に送り、それにより端末は、命令に従って、指定された通信ソフトウェアを開始するか、またはユーザを促して指定された通信ソフトウェアを開始し、また、端末は、指定された通信ソフトウェアの新しいメッセージを受け取り、かつ、新しいメッセージを着用可能デバイスに転送するようにさらに構成される。
【００１５】
第２の態様、第２の態様の第１の可能実施態様方式乃至第３の可能実施態様方式のうちの任意の１つを参照すると、第２の態様の第４の可能実施態様方式では、遠隔無線通信サービスの内容は、ネットワークデバイスによって、着用可能デバイスの情報伝達設定に従って端末に送られる。
【００１６】
第２の態様または第２の態様の第１の可能実施態様方式乃至第３の可能実施態様方式のうちの任意の１つを参照すると、第２の態様の第５の可能実施態様方式では、遠隔無線通信サービスの内容は、ネットワークデバイスによって、登録された通信ソフトウェアのユーザ名に従って端末に送られる。
【００１７】
第３の態様によれば、本発明の実施形態は、着用可能デバイスであって、
着用可能デバイスのモデムがオフ状態にある場合、受信器を制御して、短距離通信の方式で端末によって送信される遠隔無線通信サービス情報を受け取るように構成されたプロセッサであって、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用されるプロセッサ
を含む着用可能デバイスを提供し、
プロセッサは、着用可能デバイスのモデムがオン状態にある場合、受信器を制御して、ネットワークデバイスによって送られる遠隔無線通信サービスの内容を受け取るようにさらに構成される。
【００１８】
第３の態様を参照すると、第３の態様の第１の可能実施態様方式では、遠隔無線通信サービス情報が遠隔無線サービスのプロンプトメッセージを含んでいる場合、プロセッサは、着用可能デバイスのモデムがオフ状態にある場合に、受信器を制御して、短距離通信の方式で端末によって送信される遠隔無線通信サービス情報を受け取った後、ユーザによって入力される選択命令に従ってモデムをターンオンするようにさらに構成され、選択命令は、遠隔無線通信サービスのプロンプト情報に従ってユーザによって入力される、モデムをターンオンすることを選択する命令であり、
プロセッサは、とりわけ、モデムを制御して、受信器によって受け取られる遠隔無線通信サービスの内容を処理するように構成される。
【００１９】
第３の態様を参照すると、第３の態様の第２の可能実施態様方式では、遠隔無線通信サービス情報が遠隔無線通信サービスの内容を含んでいる場合、プロセッサは、着用可能デバイスのモデムがオフ状態にある場合に、受信器を制御して、短距離通信の方式で端末によって送信される遠隔無線通信サービス情報を受け取った後、送信器を制御して、短距離通信の方式で、遠隔無線通信サービスの内容に対する応答情報を端末に送信するようにさらに構成され、それにより端末はネットワークデバイスに応答情報を送り、応答情報は、ユーザによって、遠隔無線通信サービスの内容に従って着用可能デバイス上で応答される情報である。
【００２０】
第３の態様または第３の態様の第１の可能実施態様方式乃至第２の可能実施態様方式のうちの任意の１つを参照すると、第３の態様の第３の可能実施態様方式では、プロセッサは、着用可能デバイスのモデムがオフ状態にある場合に、受信器を制御して、短距離通信の方式で端末によって送信される遠隔無線通信サービス情報を受け取る前に、送信器を制御して、短距離通信の方式で、指定された通信ソフトウェアを開始する命令を端末に送るようにさらに構成され、それにより端末は、命令に従って、指定された通信ソフトウェアを開始するか、またはユーザを促して指定された通信ソフトウェアを開始し、また、端末は、指定された通信ソフトウェアの新しいメッセージを受け取り、かつ、新しいメッセージを着用可能デバイスに転送する。
【００２１】
第３の態様または第３の態様の第１の可能実施態様方式乃至第３の可能実施態様方式のうちの任意の１つを参照すると、第３の態様の第４の可能実施態様方式では、遠隔無線通信サービスの内容は、ネットワークデバイスによって、着用可能デバイスの情報伝達設定に従って端末に送られる。
【００２２】
第３の態様または第３の態様の第１の可能実施態様方式乃至第３の可能実施態様方式のうちの任意の１つを参照すると、第３の態様の第５の可能実施態様方式では、遠隔無線通信サービスの内容は、ネットワークデバイスによって、登録された通信ソフトウェアのユーザ名に従って端末に送られる。
【００２３】
第４の態様によれば、本発明は、着用可能デバイスのための電力消費制御方法であって、
端末によって、また、短距離通信の方式で、そのモデムがオフ状態にある着用可能デバイスに遠隔無線通信サービス情報を送信するステップであって、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用されるステップ
を含む方法を提供する。
【００２４】
第４の態様を参照すると、第４の態様の第１の可能実施態様方式では、遠隔無線通信サービスのプロンプト情報は、ユーザによって入力される選択命令に従って、着用可能デバイスによるモデムのターンオンを可能にし、かつ、モデムを使用することにより、着用可能デバイスによって受け取られる遠隔無線通信サービスの内容を処理するために使用され、選択命令は、遠隔無線通信サービスのプロンプトメッセージに従ってユーザによって入力される、モデムをターンオンすることを選択する命令である。
【００２５】
第４の態様を参照すると、第４の態様の第２の可能実施態様方式では、遠隔無線通信サービス情報が遠隔無線通信サービスの内容を含んでいる場合に、端末によって、また、短距離通信の方式で、そのモデムがオフ状態にある着用可能デバイスに遠隔無線通信サービス情報を送信した後、方法は、
端末によって、遠隔無線通信サービスに対する応答情報であり、また、短距離通信の方式で着用可能デバイスによって送信される応答情報を受け取るステップであって、応答情報は、ユーザによって、遠隔無線通信サービスの内容に従って着用可能デバイス上で応答される情報であるステップと、
端末によって、応答情報をネットワークデバイスに送るステップと
をさらに含む。
【００２６】
第４の態様または第４の態様の第１の可能実施態様方式乃至第２の可能実施態様方式のうちの任意の１つを参照すると、第４の態様の第３の可能実施態様方式では、端末によって、また、短距離通信の方式で、そのモデムがオフ状態にある着用可能デバイスに遠隔無線通信サービス情報を送信するステップの前に、方法は、
端末によって、指定された通信ソフトウェアを開始する命令であり、また、短距離通信の方式で着用可能デバイスによって送られる命令を受け取るステップと、
端末によって、また、命令に従って、指定された通信ソフトウェアを開始するステップ、またはユーザを促して指定された通信ソフトウェアを開始するステップと、
端末によって、指定された通信ソフトウェアの新しいメッセージを受け取るステップ、および指定された通信ソフトウェアの新しいメッセージを着用可能デバイスに転送するステップと
をさらに含む。
【００２７】
第４の態様または第４の態様の第１の可能実施態様方式乃至第３の可能実施態様方式のうちの任意の１つを参照すると、第４の態様の第４の可能実施態様方式では、遠隔無線通信サービスの内容は、ネットワークデバイスによって、着用可能デバイスの情報伝達設定に従って端末に送られる。
【００２８】
第４の態様または第４の態様の第１の可能実施態様方式乃至第３の可能実施態様方式のうちの任意の１つを参照すると、第４の態様の第５の可能実施態様方式では、遠隔無線通信サービスの内容は、ネットワークデバイスによって、登録された通信ソフトウェアのユーザ名に従って端末に送られる。
【００２９】
第５の態様によれば、本発明は、端末であって、
送信器を制御して短距離通信の方式で、そのモデムがオフ状態にある着用可能デバイスに遠隔無線通信サービス情報を送信するように構成された制御モジュールであって、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用される制御モジュール
を含む端末を提供する。
【００３０】
第５の態様を参照すると、第５の態様の第１の可能実施態様方式では、遠隔無線通信サービスのプロンプト情報は、ユーザによって入力される選択命令に従って、着用可能デバイスによるモデムのターンオンを可能にし、かつ、モデムを使用することにより、着用可能デバイスによって受け取られる遠隔無線通信サービスの内容を処理するために使用され、選択命令は、遠隔無線通信サービスのプロンプトメッセージに従ってユーザによって入力される、モデムをターンオンすることを選択する命令である。
【００３１】
第５の態様を参照すると、第５の態様の第２の可能実施態様方式では、遠隔無線通信サービス情報が遠隔無線通信サービスの内容を含んでいる場合、制御モジュールは、送信器を制御して短距離通信の方式で、そのモデムがオフ状態にある着用可能デバイスに遠隔無線通信サービス情報を送信した後、受信器を制御して、遠隔無線通信サービスに対する応答情報であり、また、短距離通信の方式で着用可能デバイスによって送信される応答情報を受け取るようにさらに構成され、応答情報は、ユーザによって、遠隔無線通信サービスの内容に従って着用可能デバイス上で応答される情報であり、また、
制御モジュールは、送信器を制御して、応答情報をネットワークデバイスに送るようにさらに構成される。
【００３２】
第５の態様または第５の態様の第２の可能実施態様方式を参照すると、第５の態様の第３の可能実施態様方式では、端末はスイッチモジュールをさらに含み、
制御モジュールは、送信器を制御して短距離通信の方式で、そのモデムがオフ状態にある着用可能デバイスに遠隔無線通信サービス情報を送信する前に、受信器を制御して、指定された通信ソフトウェアを開始する命令であり、また、短距離通信の方式で着用可能デバイスによって送られる命令を受け取るようにさらに構成され、
スイッチモジュールは、命令に従って、指定された通信ソフトウェアを開始するか、またはユーザを促して指定された通信ソフトウェアを開始するように構成され、また、
制御モジュールは、受信器を制御して、指定された通信ソフトウェアの新しいメッセージを受け取り、かつ、送信器を制御して、指定された通信ソフトウェアの新しいメッセージを着用可能デバイスに転送するようにさらに構成される。
【００３３】
第５の態様または第５の態様の第１の可能実施態様方式乃至第３の可能実施態様方式のうちの任意の１つを参照すると、第５の態様の第４の可能実施態様方式では、遠隔無線通信サービスの内容は、ネットワークデバイスによって、着用可能デバイスの情報伝達設定に従って端末に送られる。
【００３４】
第５の態様または第５の態様の第１の可能実施態様方式乃至第３の可能実施態様方式のうちの任意の１つを参照すると、第５の態様の第５の可能実施態様方式では、遠隔無線通信サービスの内容は、ネットワークデバイスによって、登録された通信ソフトウェアのユーザ名に従って端末に送られる。
【００３５】
第６の態様によれば、本発明は、端末であって、
送信器を制御して短距離通信の方式で、そのモデムがオフ状態にある着用可能デバイスに遠隔無線通信サービス情報を送信するように構成されたプロセッサであって、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用されるプロセッサ
を含む端末を提供する。
【００３６】
第６の態様を参照すると、第６の態様の第１の可能実施態様方式では、遠隔無線通信サービスのプロンプト情報は、ユーザによって入力される選択命令に従って、着用可能デバイスによるモデムのターンオンを可能にし、かつ、モデムを使用することにより、着用可能デバイスによって受け取られる遠隔無線通信サービスの内容を処理するために使用され、選択命令は、遠隔無線通信サービスのプロンプトメッセージに従ってユーザによって入力される、モデムをターンオンすることを選択する命令である。
【００３７】
第６の態様を参照すると、第６の態様の第２の可能実施態様方式では、遠隔無線通信サービス情報が遠隔無線通信サービスの内容を含んでいる場合、プロセッサは、送信器を制御して短距離通信の方式で、そのモデムがオフ状態にある着用可能デバイスに遠隔無線通信サービス情報を送信した後、受信器を制御して、遠隔無線通信サービスに対する応答情報であり、また、短距離通信の方式で着用可能デバイスによって送信される応答情報を受け取るようにさらに構成され、応答情報は、ユーザによって、遠隔無線通信サービスの内容に従って着用可能デバイス上で応答される情報であり、また、
プロセッサは、送信器を制御して、応答情報をネットワークデバイスに送るようにさらに構成される。
【００３８】
第６の態様または第６の態様の第２の可能実施態様方式を参照すると、第６の態様の第３の可能実施態様方式では、プロセッサは、送信器を制御して短距離通信の方式で、そのモデムがオフ状態にある着用可能デバイスに遠隔無線通信サービス情報を送信する前に、受信器を制御して、指定された通信ソフトウェアを開始する命令であり、また、短距離通信の方式で着用可能デバイスによって送られる命令を受け取るようにさらに構成され、
プロセッサは、命令に従って、指定された通信ソフトウェアを開始するか、またはユーザを促して指定された通信ソフトウェアを開始するようにさらに構成され、また、受信器を制御して、指定された通信ソフトウェアの新しいメッセージを受け取り、かつ、送信器を制御して、指定された通信ソフトウェアの新しいメッセージを着用可能デバイスに転送するようにさらに構成される。
【００３９】
第６の態様または第６の態様の第１の可能実施態様方式乃至第３の可能実施態様方式のうちの任意の１つを参照すると、第６の態様の第４の可能実施態様方式では、遠隔無線通信サービスの内容は、ネットワークデバイスによって、着用可能デバイスの情報伝達設定に従って端末に送られる。
【００４０】
第６の態様または第６の態様の第１の可能実施態様方式乃至第３の可能実施態様方式のうちの任意の１つを参照すると、第６の態様の第５の可能実施態様方式では、遠隔無線通信サービスの内容は、ネットワークデバイスによって、登録された通信ソフトウェアのユーザ名に従って端末に送られる。
【００４１】
本発明の実施形態において提供される、着用可能デバイスのための電力消費制御方法および着用可能デバイスによれば、着用可能デバイスのモデムがオフ状態にある場合、短距離通信の方式で端末によって送信される遠隔無線通信サービス情報が受け取られ、または着用可能デバイスのモデムがオン状態にある場合、ネットワークデバイスによって送られる遠隔無線通信サービスの内容が受け取られる。すなわち着用可能デバイスは、モデムの状態に応じて、遠隔無線通信サービスの内容の異なる受取りの方式を柔軟に使用することがある。モデムがオフ状態にある場合に、端末を使用することによって遠隔無線通信サービス情報を透過的に送信する方式は、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【図面の簡単な説明】
【００４２】
本発明の実施形態における、または従来技術における技術的解決法をより明確に説明するために、以下、実施形態または従来技術を説明するために要求される添付の図面について簡単に説明する。明らかに、以下の説明における添付の図面は、本発明のいくつかの実施形態を示しており、当業者は、創造的な努力なしに、これらの添付の図面から他の図面をさらに引き出すことがあり得る。
【図１】本発明による着用可能デバイスのための電力消費制御方法の実施形態１の概略フローチャートである。
【図２】本発明による着用可能デバイスのための電力消費制御方法の実施形態２の概略フローチャートである。
【図３】本発明による遠隔無線通信サービスのプロンプトメッセージの略図である。
【図４】本発明による着用可能デバイスのための電力消費制御方法の実施形態３の概略フローチャートである。
【図５】本発明による着用可能デバイスのための電力消費制御方法の実施形態４の概略フローチャートである。
【図６】本発明による着用可能デバイスのための電力消費制御方法の実施形態７の概略フローチャートである。
【図７】本発明による着用可能デバイスのための電力消費制御方法の実施形態８の概略フローチャートである。
【図８】本発明による着用可能デバイスの実施形態１の概略構造図である。
【図９】本発明による着用可能デバイスの実施形態２の概略構造図である。
【図１０】本発明による着用可能デバイスの実施形態３の概略構造図である。
【図１１】本発明による着用可能デバイスの実施形態４の概略構造図である。
【図１２】本発明による端末の実施形態１の概略構造図である。
【図１３】本発明による端末の実施形態２の概略構造図である。
【図１４】本発明による端末の実施形態３の概略構造図である。
【図１５】本発明による端末の実施形態４の概略構造図である。
【発明を実施するための形態】
【００４３】
本発明の実施形態の目的、技術的解決法および利点を明確にするために、以下、本発明の実施形態における添付の図面を参照して、本発明の実施形態における技術的解決法を明確に、かつ、完全に説明する。明らかに、説明される実施形態は、本発明の実施形態の一部であり、すべてではない。本発明の実施形態に基づいて、創造的な努力なしに当業者によって獲得されるすべての他の実施形態は、本発明の保護範囲の範疇とする。
【００４４】
本発明の実施形態に必然的に伴う端末は、それらに限定されないが、携帯電話、携帯コンピュータ、タブレットコンピュータ、パーソナルデジタルアシスタント（Ｐｅｒｓｏｎａｌ  Ｄｉｇｉｔａｌ  Ａｓｓｉｓｔａｎｔ、ＰＤＡ）、メディアプレーヤ、等々を含むことがあり、または自動預金支払機（Ａｕｔｏｍａｔｉｃ  Ｔｅｌｌｅｒ  Ｍａｃｈｉｎｅ、短くしてＡＴＭ）などのデバイスを含むことがある。本発明の実施形態は、端末の形態を制限しない。
【００４５】
本発明の実施形態に必然的に伴う着用可能デバイスは、スマートバンド、スマートグラス、スマートグローブ、スマートウォッチ、スマートクローズまたはスマートシューズなどのデバイスであってもよく、デバイスは、ユーザによって着用されることが可能であり、ユーザの対応するサービスを処理することができ、また、ユーザとの知的対話を実施することができる。実施形態における着用可能デバイスは、無線ネットワークとの遠隔無線通信を実施するために使用されるモデムを含むことがある。例えばモデムは、ネットワーク側基地局、移動性管理実体、等々との遠隔無線通信を実施することがあり、すなわち遠隔無線通信サービスの内容を受け取り、かつ、処理することがある。着用可能デバイスは、着用可能デバイスのサービスデータを処理するサービスプロセッサをさらに含むことがある。サービスデータは、着用可能デバイスの局所データ（例えば着用可能デバイスによって収集される、体温および心拍などのデータ）を含むことがあり、モデムによって獲得される遠隔無線通信サービスの内容をさらに含むことがあり、また、Ｂｌｕｅｔｏｏｔｈ（登録商標）またはＷｉｒｅｌｅｓｓ  Ｆｉｄｅｌｉｔｙ（Ｗｉｒｅｌｅｓｓ−Ｆｉｄｅｌｉｔｙ、短くしてＷｉＦｉ）などの短距離通信の方式で獲得される近距離場通信のサービスデータをさらに含むことがある。任意選択で、モデムおよびサービスプロセッサは、それぞれ独立したチップであることがあり、またはプロセッサチップ内に統合されることがある。本発明の実施形態は、モデムおよびサービスプロセッサの物理的実施態様形態を制限しない。任意選択で、モデムは、２Ｇ無線通信もしくは３Ｇ無線通信または４Ｇ無線通信を実施することができるモデムプロセッサであることがあり、また、サービスプロセッサは、ＷｉＦｉ、Ｂｌｕｅｔｏｏｔｈ、またはＷｉＦｉおよびＢｌｕｅｔｏｏｔｈの機能を統合することがある。
【００４６】
本発明の実施形態に必然的に伴う方法は、着用可能デバイスの電力消費が有効に低減され得ない従来技術の技術的問題を解決することを目的としており、結果として着用可能デバイスの待機時間が短い。本発明の実施形態における着用可能デバイスの言及されている待機時間は、着用可能デバイスの電池寿命を意味していることに留意されたい。
【００４７】
以下、特定の実施形態を使用することによって、本発明の技術的解決法を詳細に説明する。以下のいくつかの特定の実施形態は互いに結合されることがある。同じまたは類似の概念またはプロセスの詳細は、実施形態の中で説明されないことがある。
【００４８】
図１は、本発明による着用可能デバイスのための電力消費制御方法の実施形態１の概略フローチャートである。この実施形態は、着用可能デバイスが、モデムの状態に応じて着用可能デバイスの電力消費の低減を実現する特定のプロセスに関している。図１に示されているように、方法は以下を含む。
【００４９】
Ｓ１０１：着用可能デバイスのモデムがオフ状態にある場合、着用可能デバイスは、短距離通信の方式で端末によって送信される遠隔無線通信サービス情報を受け取り、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用される。
【００５０】
Ｓ１０２：着用可能デバイスのモデムがオン状態にある場合、着用可能デバイスは、ネットワークデバイスによって送られる遠隔無線通信サービスの内容を受け取る。
【００５１】
この実施形態では、Ｓ１０１およびＳ１０２は総合的技術的特徴であり、異なる状況における着用可能デバイスの総合的動作状態を記述しており、したがってＳ１０１とＳ１０２の間には、時間シーケンス関係に対する制限は存在しないことに留意されたい。
【００５２】
具体的には、この実施形態では、着用可能デバイスのモデムがオフ状態にある場合、着用可能デバイスと端末の間に通信接続が存在する。任意選択で、着用可能デバイスは、前もって端末との通信接続を確立し、次にモデムをターンオフすることがあり、または着用可能デバイスは、モデムをターンオフし、それと同時に端末との通信接続を確立することがある。着用可能デバイスと端末の間の上記通信接続は、近距離場通信接続（すなわち短距離通信接続）であってもよく、例えば、端末をＷｉＦｉホットスポットとして使用することによって、ＷｉＦｉ機能を使用することによって着用可能デバイスによって確立される端末との近距離場通信接続、もしくはＢｌｕｅｔｏｏｔｈペアリングの手段によって、着用可能デバイスによって確立される端末との近距離場通信接続、またはＺｉｇｂｅｅプロトコルを使用することによって、着用可能デバイスによって確立される端末との近距離場通信接続であってもよい。要するに、着用可能デバイスは、近距離場通信技術のうちの任意の１つを使用することによって端末との通信接続を確立することができ、また、データサービスの透過型伝送が着用可能デバイスと端末の間に実現され得る。短距離通信の上記方式は、Ｂｌｕｅｔｏｏｔｈ通信方式であっても、ＷｉＦｉ通信方式またはＮＦＣ通信方式であっても、または別の近距離場通信方式であってもよい。
【００５３】
着用可能デバイスのモデムがオフ状態にある場合、端末は、着用可能デバイスのモデムの状態を検出することがあり、または着用可能デバイスは、モデムの現在の状態を短距離通信の方式で端末に通知する。着用可能デバイスのモデムがオフ状態にあることを端末が知ると、端末は、遠隔無線通信サービスの内容であり、また、もともとは着用可能デバイスに送られるべきであった内容を端末に送るよう、ネットワークデバイスに通知することがあり、または着用可能デバイスのモデムがターンオフされていない場合、着用可能デバイスは、遠隔無線通信サービスの内容であり、また、もともとは着用可能デバイスに送られるべきであった内容を端末に送るよう、ネットワークデバイスに通知する。
【００５４】
遠隔無線通信サービスの内容を受け取ると、端末は、遠隔無線通信サービス情報を短距離通信の方式で着用可能デバイスに送信し、遠隔無線通信サービス情報は、遠隔無線通信サービスの内容または遠隔無線通信サービスのプロンプトメッセージを含み、また、遠隔無線通信サービスのプロンプトメッセージは、ユーザを促してモデムをターンオンするかどうかを決定するために使用され、また、端末によって現在受け取られている遠隔無線通信サービスの内容を着用可能デバイスに通知するために使用される。ユーザは、遠隔無線通信サービスの内容が着用可能デバイス上で処理されるよう、モデムをターンオンすることを選択することがあり、またはユーザは、遠隔無線通信サービスの内容が端末上で処理されるよう、モデムをターンオンしないことを選択することがある。
【００５５】
別の態様では、この実施形態では、着用可能デバイスのモデムがオン状態にある場合、モデムは、ネットワークデバイスによって送られる遠隔無線通信サービスの内容を受け取ることがある。
【００５６】
従来技術では、着用可能デバイスのモデムは、長時間にわたって、ネットワークデバイスによって送られる遠隔無線通信サービスの内容を実時間で受け取る状態にあり、すなわち着用可能デバイスのモデムは、長時間にわたって待機状態または動作状態にあり、結果として着用可能デバイスの電力消費は極めて大きく、また、着用可能デバイスの待機時間は短い。しかしながら、本発明のこの実施形態では、着用可能デバイスは、モデムの状態に応じて、遠隔無線通信サービスの内容の異なる受取りの方式を柔軟に使用することがある。モデムがオフ状態にある場合に、端末を使用することによって遠隔無線通信サービス情報を透過的に送信する方式は、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【００５７】
本発明のこの実施形態において提供される着用可能デバイスのための電力消費制御方法によれば、着用可能デバイスのモデムがオフ状態にある場合、短距離通信の方式で端末によって送信される遠隔無線通信サービス情報が受け取られ、または着用可能デバイスのモデムがオン状態にある場合、ネットワークデバイスによって送られる遠隔無線通信サービスの内容が受け取られる。すなわち着用可能デバイスは、モデムの状態に応じて、遠隔無線通信サービスの内容の異なる受取りの方式を柔軟に使用することがある。モデムがオフ状態にある場合に、端末を使用することによって遠隔無線通信サービス情報を透過的に送信する方式は、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【００５８】
図２は、本発明による着用可能デバイスのための電力消費制御方法の実施形態２の概略フローチャートである。この実施形態は、着用可能デバイスのモデムがオフ状態にあり、また、上記遠隔無線通信サービス情報が遠隔無線通信サービスのプロンプトメッセージである場合、着用可能デバイスが遠隔無線通信サービスの内容を受け取る特定のプロセスに関している。上記実施形態を基本にして、さらに、図２に示されているように、上記Ｓ１０１の後、方法は以下のステップを含む。
【００５９】
Ｓ２０１：着用可能デバイスのモデムがオフ状態にある場合、着用可能デバイスは、ユーザによって入力される選択命令に従ってモデムをターンオンし、選択命令は、遠隔無線通信サービスのプロンプト情報に従ってユーザによって入力される、モデムをターンオンすることを選択する命令である。
【００６０】
具体的には、モデムがオフ状態にある場合、着用可能デバイスは、遠隔無線通信サービスのプロンプトメッセージであり、また、短距離通信の方式で端末によって送信されるプロンプトメッセージを受け取り、プロンプトメッセージは、ユーザを促してモデムをターンオンするかどうかを決定するために使用され、また、端末によって現在受け取られている遠隔無線通信サービスの内容を着用可能デバイスに通知するために使用される。遠隔無線通信サービスのプロンプトメッセージに従って、ユーザは、遠隔無線通信サービスの内容を着用可能デバイス上で処理することを選択することがあり、または遠隔無線通信サービスの内容を端末上で処理することを選択することがある。任意選択で、遠隔無線通信サービスのプロンプトメッセージは、ユーザが選択するためのオプション制御を伝えるメッセージであることがある。ユーザが遠隔無線通信サービスの内容を着用可能デバイス上で処理することを選択すると、ユーザは、選択命令を着用可能デバイスに入力する。任意選択で、選択命令はユーザの操作に関連付けられる。例えば遠隔無線通信サービスの上記プロンプトメッセージは、ポップアップダイアログボックスであることが仮定されている。図３に示されている遠隔無線通信サービスのプロンプトメッセージの略図を参照すると、ダイアログボックスは２つの選択制御を含む。ユーザが異なる制御をタップすると、異なる選択命令が着用可能デバイスに入力される。ユーザが制御１をタップすると、ユーザが着用可能デバイスに入力する選択命令を使用して、モデムをターンオンするように着用可能デバイスに命令される。図３は例を示したものにすぎない。本発明のこの実施形態は、ユーザが選択を実施することができる限り、遠隔無線通信サービスのプロンプトメッセージの形態を制限しない。
【００６１】
Ｓ２０２：着用可能デバイスは、モデムを使用することにより、受け取った遠隔無線通信サービスの内容を処理する。
【００６２】
具体的には、着用可能デバイスがモデムをターンオンした後、着用可能デバイスは、モデムを使用することにより、ネットワークデバイスによって送られる遠隔無線通信サービスの内容を受け取ることがあり、また、遠隔無線通信サービスの内容をさらに処理することがあり、または着用可能デバイスの内部のサービスプロセッサを使用して、遠隔無線通信サービスの内容を処理することがある。任意選択で、遠隔無線通信サービスの内容は、入電、ショートメッセージサービスメッセージまたはマルチメディアメッセージングサービスメッセージなどの無線サービスであってもよい。
【００６３】
本発明のこの実施形態において提供される着用可能デバイスのための電力消費制御方法によれば、着用可能デバイスのモデムがオフ状態にある場合、着用可能デバイスによって受け取られる遠隔無線通信サービスのプロンプトメッセージは、ユーザを促して、遠隔無線通信サービスの内容を処理するための対応するデバイス（着用可能デバイスまたは端末）を選択するために使用され、それにより着用可能デバイスは、ユーザの選択命令に従ってモデムをターンオンし、かつ、ターンオンされたモデムを使用することにより、端末によって送信される遠隔無線通信サービスの内容を受け取る。本発明のこの実施形態における方法によれば、着用可能デバイスは、モデムの状態に応じて、遠隔無線通信サービスの内容の異なる受取りの方式を柔軟に使用することがあり、また、ユーザの選択命令に従ってモデムをターンオンするかどうかを決定することがあり、それは、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【００６４】
図４は、本発明による着用可能デバイスのための電力消費制御方法の実施形態３の概略フローチャートである。この実施形態は、着用可能デバイスのモデムがオフ状態にあり、また、上記遠隔無線通信サービス情報が遠隔無線通信サービスの内容である場合、着用可能デバイスが遠隔無線通信サービスの内容に従って応答情報を端末に送る特定のプロセスに関している。上記実施形態を基本にして、さらに、図４に示されているように、上記Ｓ１０１の後、方法は以下のステップを含む。
【００６５】
Ｓ３０１：着用可能デバイスは、短距離通信の方式で、遠隔無線通信サービスの内容に対する応答情報を端末に送信し、それにより端末は、応答情報をネットワークデバイスに送り、応答情報は、ユーザによって、遠隔無線通信サービスの内容に従って着用可能デバイス上で応答される情報である。
【００６６】
具体的には、着用可能デバイスが、モデムがオフ状態にある場合に、遠隔無線通信サービスの内容であり、また、短距離通信の方式で端末によって送信される内容を受け取ると、任意選択で着用可能デバイスは、モデムをターンオンして遠隔無線通信サービスの内容を処理することがあり、またはモデムをターンオンしなくてもよく、その代わりにサービスプロセッサを使用することによって遠隔無線通信サービスの内容を処理し、それにより遠隔無線通信サービスの内容に対する応答情報を獲得する。応答情報は、ユーザによって、遠隔無線通信サービスの内容に対して着用可能デバイス上で応答される情報であってもよい。例えば遠隔無線通信サービスの内容がショートメッセージサービスメッセージである場合、応答情報は、ユーザによって、ショートメッセージサービスメッセージに対して着用可能デバイス上で応答され、また、着用可能デバイスによって処理される情報である。
【００６７】
着用可能デバイスは、応答情報を短距離通信の方式で端末に送ることがあり、それにより端末は、ネットワークデバイスによる次の処理の実施をさらに可能にするために、応答情報をネットワークデバイスに送る。
【００６８】
遠隔無線通信サービスの内容であり、短距離通信の方式で端末によって送信され、また、モデムがオフ状態にある場合に着用可能デバイスによって受け取られる上記内容は、ネットワークデバイスによって、着用可能デバイスの情報伝達設定に従って端末に送られることがあり、着用可能デバイスの情報伝達設定は、とりわけ、着用可能デバイスが、遠隔無線通信サービスの内容であり、また、もともとは着用可能デバイスに送られるべきであった内容を端末に送るようにネットワークデバイスに通知することであるか、または、着用可能デバイスが、端末を使用することによって、遠隔無線通信サービスの内容であり、また、もともとは着用可能デバイスに送られるべきであった内容を端末に送るようにネットワークデバイスに通知することであってもよいことに留意されたい。任意選択で、着用可能デバイスおよび端末が異なる識別を有している場合、着用可能デバイスは、端末の識別をネットワークデバイスに送ることがあり、それによりネットワークデバイスは、端末の識別に従って、遠隔無線通信サービスの内容であり、また、もともとは着用可能デバイスに送られるべきであった内容を端末に送る。
【００６９】
本発明のこの実施形態において提供される着用可能デバイスのための電力消費制御方法によれば、着用可能デバイスのモデムがオフ状態にある場合に、遠隔無線通信サービスの内容であり、また、短距離通信の方式で端末によって送信される内容が受け取られると、ユーザによって、遠隔無線通信サービスの内容に対して着用可能デバイス上で応答される情報が端末に送られ、それにより端末は、応答された情報をネットワークデバイスに送る。本発明のこの実施形態における方法によれば、着用可能デバイスは、モデムの状態に応じて、遠隔無線通信サービスの内容の異なる受取りの方式を柔軟に使用することがあり、また、応答された情報をネットワークデバイスに柔軟に送ることがあり、それは、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【００７０】
図５は、本発明による着用可能デバイスのための電力消費制御方法の実施形態４の概略フローチャートである。この実施形態は、着用可能デバイスが、指定された通信ソフトウェアを開始するように端末に命令し、かつ、指定された通信ソフトウェアの新しいメッセージを獲得する特定のプロセスに関している。図１乃至図４に示されている上記実施形態のうちの任意の１つを基本にして、さらに、上記Ｓ１０１の前に、方法は以下のステップをさらに含む。
【００７１】
Ｓ４０１：着用可能デバイスは、短距離通信の方式で、指定された通信ソフトウェアを開始する命令を端末に送り、それにより端末は、命令に従って、指定された通信ソフトウェアを開始するか、またはユーザを促して指定された通信ソフトウェアを開始し、また、端末は、指定された通信ソフトウェアの新しいメッセージを受け取り、かつ、新しいメッセージを着用可能デバイスに転送する。
【００７２】
具体的には、モデムがオフ状態にある場合、着用可能デバイスは、短距離通信の方式で、指定された通信ソフトウェアを開始する命令を端末に送ることがある。任意選択で、指定される通信ソフトウェアは、ＷｅＣｈａｔ、ＱＱまたはＭｉｃｒｏｂｌｏｇなどのアプリケーションソフトウェアであっても、または他のソフトウェアであってもよい。端末が、指定された通信ソフトウェアを開始する命令を受け取ると、端末は、指定された通信ソフトウェアを自動的に開始するか、またはユーザを促して、指定された通信ソフトウェアを端末上で開始することがある。
【００７３】
指定された通信ソフトウェアが端末上で開始されると、端末は、指定された通信ソフトウェアの新しいメッセージを獲得し、かつ、新しいメッセージを着用可能デバイスに転送することがある。任意選択で、新しいメッセージは、指定された通信ソフトウェアのソフトウェア更新メッセージであってもよい。
【００７４】
この実施形態では、遠隔無線通信サービスの内容であり、短距離通信の方式で端末によって送信され、また、モデムがオフ状態にある場合に着用可能デバイスによって受け取られる内容は、上記指定された通信ソフトウェア上でユーザによって入力される瞬時通信サービスであっても、または指定された通信ソフトウェアに関連付けられ、また、上記指定された通信ソフトウェア上でユーザによって入力される別のサービスであってもよい。さらに、遠隔無線通信サービスの内容は、ネットワークデバイスによって、登録された通信ソフトウェアのユーザ名に従って端末に送られ、次に端末によってネットワークデバイスに透過的に送信されることがある。
【００７５】
本発明のこの実施形態において提供される着用可能デバイスのための電力消費制御方法によれば、着用可能デバイスのモデムがオフ状態にある場合、着用可能デバイスは、短距離通信の方式で、指定された通信ソフトウェアを開始する命令を端末に送り、それにより端末は、命令に従って、指定された通信ソフトウェアを開始するか、またはユーザを促して指定された通信ソフトウェアを開始し、また、端末は、指定された通信ソフトウェアの受け取った新しいメッセージを着用可能デバイスに転送する。本発明のこの実施形態における方法によれば、着用可能デバイスは、モデムの状態に応じて、指定された通信ソフトウェアを端末上で開始し、かつ、指定された通信ソフトウェアの新しいメッセージを獲得することがあり、それは、指定された通信ソフトウェアに対する端末上でのサービスを柔軟に制御することがあるだけでなく、ネットワークデバイスによって送られる遠隔無線通信サービスの内容を着用可能デバイスのモデムが常に受け取る状態にあることを防止することがあり、すなわちモデムが常に待機状態または動作状態にあることを防止し、それにより着用可能デバイスの電力消費を低減し、また、着用可能デバイスの待機時間を延長する。
【００７６】
本発明の実施形態５は、着用可能デバイスのための電力消費制御方法の概略フローチャートを提供する。この実施形態は、端末が、着用可能デバイスのモデムがオフ状態にある場合に、遠隔無線通信サービス情報を短距離通信の方式で着用可能デバイスに送信する特定のプロセスに関している。方法は、端末によって、また、短距離通信の方式で、そのモデムがオフ状態にある着用可能デバイスに遠隔無線通信サービス情報を送信するステップであって、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用されるステップを含む。
【００７７】
具体的には、この実施形態では、着用可能デバイスのモデムがオフ状態にある場合、着用可能デバイスと端末の間に通信接続が存在する。任意選択で、着用可能デバイスは、前もって端末との通信接続を確立し、次にモデムをターンオフすることがあり、または着用可能デバイスは、モデムをターンオフし、それと同時に端末との通信接続を確立することがある。着用可能デバイスと端末の間の上記通信接続は、近距離場通信接続（すなわち短距離通信接続）であってもよく、例えば、端末をＷｉＦｉホットスポットとして使用することによって、ＷｉＦｉ機能を使用することによって着用可能デバイスによって確立される端末との近距離場通信接続、もしくはＢｌｕｅｔｏｏｔｈペアリングの手段によって、着用可能デバイスによって確立される端末との近距離場通信接続、またはＺｉｇｂｅｅプロトコルを使用することによって、着用可能デバイスによって確立される端末との近距離場通信接続であってもよい。要するに、着用可能デバイスは、近距離場通信技術のうちの任意の１つを使用することによって端末との通信接続を確立することができ、また、データサービスの透過型伝送が着用可能デバイスと端末の間に実現され得る。短距離通信の上記方式は、Ｂｌｕｅｔｏｏｔｈ通信方式であっても、ＷｉＦｉ通信方式またはＮＦＣ通信方式であっても、または別の近距離場通信方式であってもよい。
【００７８】
着用可能デバイスのモデムがオフ状態にある場合、端末は、着用可能デバイスのモデムの状態を検出することがあり、または着用可能デバイスは、モデムの現在の状態を短距離通信の方式で端末に通知する。着用可能デバイスのモデムがオフ状態にあることを端末が知ると、端末は、遠隔無線通信サービスの内容であり、また、もともとは着用可能デバイスに送られるべきであった内容を端末に送るよう、ネットワークデバイスに通知することがあり、または着用可能デバイスのモデムがターンオフされていない場合、着用可能デバイスは、遠隔無線通信サービスの内容であり、また、もともとは着用可能デバイスに送られるべきであった内容を端末に送るよう、ネットワークデバイスに通知する。
【００７９】
遠隔無線通信サービスの内容を受け取り、かつ、着用可能デバイスのモデムがオフ状態にあることを知ると、端末は、遠隔無線通信サービス情報を短距離通信の方式で着用可能デバイスに送信し、遠隔無線通信サービス情報は、遠隔無線通信サービスの内容または遠隔無線通信サービスのプロンプトメッセージを含み、また、遠隔無線通信サービスのプロンプトメッセージは、ユーザを促してモデムをターンオンするかどうかを決定するために使用され、また、端末によって現在受け取られている遠隔無線通信サービスの内容を着用可能デバイスに通知するために使用される。ユーザは、遠隔無線通信サービスの内容が着用可能デバイス上で処理されるよう、モデムをターンオンすることを選択することがあり、またはユーザは、遠隔無線通信サービスの内容が端末上で処理されるよう、モデムをターンオンしないことを選択することがある。別の態様では、この実施形態では、着用可能デバイスのモデムがオン状態にある場合、モデムは、ネットワークデバイスによって送られる遠隔無線通信サービスの内容を受け取ることがある。
【００８０】
本発明のこの実施形態において提供される着用可能デバイスのための電力消費制御方法によれば、端末は、着用可能デバイスのモデムがオフ状態にある場合、遠隔無線通信サービス情報を短距離通信の方式で着用可能デバイスに送信し、それは、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【００８１】
図５に示されている実施形態を基本にして、実施形態６は、着用可能デバイスのモデムがオフ状態にあり、また、上記遠隔無線通信サービス情報が遠隔無線通信サービスのプロンプトメッセージである場合、端末が遠隔無線通信サービスの内容を着用可能デバイスに送る特定のプロセスに関している。遠隔無線通信サービスのプロンプト情報であり、また、端末によって着用可能デバイスに送られる上記プロンプト情報は、ユーザによって入力される選択命令に従って、着用可能デバイスによるモデムのターンオンを可能にし、かつ、モデムを使用することにより、着用可能デバイスによって受け取られる遠隔無線通信サービスの内容を処理するために使用され、選択命令は、遠隔無線通信サービスのプロンプトメッセージに従ってユーザによって入力される、モデムをターンオンすることを選択する命令である。
【００８２】
具体的には、着用可能デバイスのモデムがオフ状態にある場合、端末は、遠隔無線通信サービスのプロンプトメッセージを短距離通信の方式で着用可能デバイスに送信し、ユーザを促してモデムをターンオンするかどうかを決定することがあり、また、端末によって現在受け取られている遠隔無線通信サービスの内容を着用可能デバイスに通知することがある。遠隔無線通信サービスのプロンプトメッセージに従って、ユーザは、遠隔無線通信サービスの内容を着用可能デバイス上で処理することを選択することがあり、または遠隔無線通信サービスの内容を端末上で処理することを選択することがある。任意選択で、遠隔無線通信サービスのプロンプトメッセージは、ユーザが選択するためのオプション制御を伝えるメッセージであってもよい。
【００８３】
ユーザが遠隔無線通信サービスの内容を着用可能デバイス上で処理することを選択すると、ユーザは、選択命令を着用可能デバイスに入力する。任意選択で、選択命令はユーザの操作に関連付けられる。例えば、遠隔無線通信サービスの上記プロンプトメッセージは、ポップアップダイアログボックスであることが仮定されている。図３を参照すると、ダイアログボックスは２つの選択制御を含む。ユーザが異なる制御をタップすると、異なる選択命令が着用可能デバイスに入力される。ユーザが制御１をタップすると、ユーザが着用可能デバイスに入力する選択命令を使用して、モデムをターンオンするように着用可能デバイスに命令する。
【００８４】
モデムをターンオンした後、着用可能デバイスは、モデムを使用することによって遠隔無線通信サービスの内容を受け取ることがある。任意選択で、遠隔無線通信サービスの内容は、入電、ショートメッセージサービスメッセージまたはマルチメディアメッセージングサービスメッセージなどの無線サービスであってもよい。
【００８５】
本発明のこの実施形態において提供される着用可能デバイスのための電力消費制御方法によれば、着用可能デバイスのモデムがオフ状態にある場合、端末は、短距離通信の方式で、遠隔無線通信サービスのプロンプトメッセージを着用可能デバイスに送信し、ユーザを促して、遠隔無線通信サービスの内容を処理するための対応するデバイス（着用可能デバイスまたは端末）を選択し、それにより着用可能デバイスは、ユーザの選択命令に従ってモデムをターンオンし、かつ、ターンオンされたモデムを使用することにより、端末によって送信される遠隔無線通信サービスの内容を受け取る。本発明のこの実施形態における方法によれば、端末は、モデムの状態に応じて、遠隔無線通信サービスの内容の異なる送りの方式を柔軟に使用することがあり、それにより着用可能デバイスは、ユーザの選択命令に従ってモデムをターンオンするかどうかを決定することがあり、それは、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【００８６】
図６は、本発明による着用可能デバイスのための電力消費制御方法の実施形態７の概略フローチャートである。この実施形態は、着用可能デバイスのモデムがオフ状態にあり、また上記遠隔無線通信サービス情報が遠隔無線通信サービスの内容である場合、端末が、着用可能デバイスによって送られる、遠隔無線通信サービスの内容に対する応答情報を受け取る特定のプロセスに関している。図６に示されているように、方法は以下のステップを含む。
【００８７】
Ｓ６０１：端末は、短距離通信の方式で、そのモデムがオフ状態にある着用可能デバイスに遠隔無線通信サービスの内容を送信する。
【００８８】
Ｓ６０２：端末は、遠隔無線通信サービスに対する応答情報であり、また、短距離通信の方式で着用可能デバイスによって送信される応答情報を受け取り、応答情報は、ユーザによって、遠隔無線通信サービスの内容に従って着用可能デバイス上で応答される情報である。
【００８９】
具体的には、着用可能デバイスが、モデムがオフ状態にある場合に、遠隔無線通信サービスの内容であり、また、短距離通信の方式で端末によって送信される内容を受け取ると、任意選択で着用可能デバイスは、モデムをターンオンして遠隔無線通信サービスの内容を処理することがあり、またはモデムをターンオンしなくてもよく、その代わりにサービスプロセッサを使用することによって遠隔無線通信サービスの内容を処理し、それにより遠隔無線通信サービスの内容に対する応答情報を獲得する。応答情報は、ユーザによって、遠隔無線通信サービスの内容に対して着用可能デバイス上で応答される情報であってもよい。例えば、遠隔無線通信サービスの内容がショートメッセージサービスメッセージである場合、応答情報は、ユーザによって、ショートメッセージサービスメッセージに対して着用可能デバイス上で応答される情報であり、また、着用可能デバイスによって処理される情報である。次に、着用可能デバイスは、応答情報を短距離通信の方式で端末に送ることがある。
【００９０】
Ｓ６０３：端末は、応答情報をネットワークデバイスに送る。
【００９１】
遠隔無線通信サービスの内容であり、短距離通信の方式で端末によって送信され、また、モデムがオフ状態にある場合に着用可能デバイスによって受け取られる上記内容は、ネットワークデバイスによって、着用可能デバイスの情報伝達設定に従って端末に送られることがあり、着用可能デバイスの情報伝達設定は、とりわけ、着用可能デバイスが、遠隔無線通信サービスの内容であり、また、もともとは着用可能デバイスに送られるべきであった内容を端末に送るようにネットワークデバイスに通知することであるか、または、着用可能デバイスが、端末を使用することによって、遠隔無線通信サービスの内容であり、また、もともとは着用可能デバイスに送られるべきであった内容を端末に送るようにネットワークデバイスに通知することであってもよいことに留意されたい。任意選択で、着用可能デバイスおよび端末が異なる識別を有している場合、着用可能デバイスは、端末の識別をネットワークデバイスに送ることがあり、それによりネットワークデバイスは、端末の識別に従って、遠隔無線通信サービスの内容であり、また、もともとは着用可能デバイスに送られるべきであった内容を端末に送り、または着用可能デバイスは、端末を使用することによって端末の識別をネットワークデバイスに送ることがあり、それによりネットワークデバイスは、端末の識別に従って、遠隔無線通信サービスの内容であり、また、もともとは着用可能デバイスに送られるべきであった内容を端末に送る。
【００９２】
本発明のこの実施形態において提供される着用可能デバイスのための電力消費制御方法によれば、端末が、着用可能デバイスのモデムがオフ状態にある場合に、遠隔無線通信サービスの内容を短距離通信の方式で着用可能デバイスに送信した後、端末は、着用可能デバイスによって送られる、遠隔無線通信サービスの内容に対する応答情報を受け取り、かつ、応答情報をネットワークデバイスに送る。本発明のこの実施形態における方法によれば、端末は、モデムの状態に応じて、遠隔無線通信サービスの内容の異なる送りの方式を柔軟に使用することがあり、それにより着用可能デバイスによって送られる、遠隔無線通信サービスの内容に対する応答情報を獲得し、かつ、応答情報をネットワークデバイスに送り、それは、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【００９３】
図７は、本発明による着用可能デバイスのための電力消費制御方法の実施形態８の概略フローチャートである。この実施形態は、端末が、着用可能デバイスからの、指定された通信ソフトウェアを開始する命令に従って、指定された通信ソフトウェアを開始し、かつ、指定された通信ソフトウェアの獲得された新しいメッセージを着用可能デバイスに送る特定のプロセスに関している。上記実施形態５乃至実施形態７のうちの任意の１つを基本にして、さらに、上記Ｓ６０１の前に、方法は以下のステップをさらに含む。
【００９４】
Ｓ７０１：端末は、指定された通信ソフトウェアを開始する命令であり、また、短距離通信の方式で着用可能デバイスによって送られる命令を受け取る。
【００９５】
Ｓ７０２：端末は、命令に従って、指定された通信ソフトウェアを開始するか、またはユーザを促して指定された通信ソフトウェアを開始する。
【００９６】
具体的には、モデムがオフ状態にある場合、着用可能デバイスは、短距離通信の方式で、指定された通信ソフトウェアを開始する命令を端末に送ることがある。任意選択で、指定される通信ソフトウェアは、ＷｅＣｈａｔ、ＱＱまたはＭｉｃｒｏｂｌｏｇなどのアプリケーションソフトウェアであっても、または他のソフトウェアであってもよい。端末が、指定された通信ソフトウェアを開始する命令を受け取ると、端末は、指定された通信ソフトウェアを自動的に開始するか、またはユーザを促して、指定された通信ソフトウェアを端末上で開始することがある。
【００９７】
Ｓ７０３：端末は、指定された通信ソフトウェアの新しいメッセージを受け取り、かつ、指定された通信ソフトウェアの新しいメッセージを着用可能デバイスに転送する。
【００９８】
具体的には、指定された通信ソフトウェアが端末上で開始されると、端末は、指定された通信ソフトウェアの新しいメッセージを獲得し、かつ、新しいメッセージを着用可能デバイスに転送することがある。任意選択で、新しいメッセージは、指定された通信ソフトウェアのソフトウェア更新メッセージであってもよい。
【００９９】
この実施形態では、遠隔無線通信サービスの内容であり、また、着用可能デバイスのモデムがオフ状態にある場合に、端末によって短距離通信の方式で着用可能デバイスに送信される内容は、上記指定された通信ソフトウェア上でユーザによって入力される瞬時通信サービス（例えば瞬時通信メッセージ）であっても、または指定された通信ソフトウェアに関連付けられ、また、上記指定された通信ソフトウェア上でユーザによって入力される別のサービスであってもよい。さらに、遠隔無線通信サービスの内容は、ネットワークデバイスによって、登録された通信ソフトウェアのユーザ名に従って端末に送られ、次に端末によってネットワークデバイスに透過的に送信されることがある。
【０１００】
本発明のこの実施形態において提供される着用可能デバイスのための電力消費制御方法によれば、着用可能デバイスのモデムがオフ状態にある場合、端末は、指定された通信ソフトウェアを開始する命令であり、また、短距離通信の方式で着用可能デバイスによって送られる命令を受け取り、かつ、命令に従って、指定された通信ソフトウェアを開始するか、またはユーザを促して指定された通信ソフトウェアを開始し、それにより端末は、指定された通信ソフトウェアの受け取った新しいメッセージを着用可能デバイスに転送する。本発明のこの実施形態における方法によれば、端末は、そのモデムがオフ状態にある着用可能デバイスに指定された通信ソフトウェアの新しいメッセージを転送することがあり、それは、ネットワークデバイスによって送られる遠隔無線通信サービスの内容を着用可能デバイスのモデムが常に受け取る状態にあることを防止し、すなわちモデムが常に待機状態または動作状態にあることを防止し、それにより着用可能デバイスの電力消費を低減し、また、着用可能デバイスの待機時間を延長する。
【０１０１】
当業者は、上記方法実施形態のステップのすべてまたは一部は、関連するハードウェアに命令するプログラムによって実現されることがあることを理解することがある。上記プログラムは、コンピュータ可読記憶媒体に記憶されることがある。プログラムが走ると、上記方法実施形態のステップが実施される。上記記憶媒体は、プログラムコードを記憶することができる、ＲＯＭ、ＲＡＭ、磁気ディスクまたは光ディスクなどの任意の媒体を含む。
【０１０２】
図８は、本発明による着用可能デバイスの実施形態１の概略構造図である。図８に示されているように、着用可能デバイスは、制御モジュール１１を含むことがある。
【０１０３】
制御モジュール１１は、着用可能デバイスのモデムがオフ状態にある場合、受信器を制御して、短距離通信の方式で端末によって送信される遠隔無線通信サービス情報を受け取るように構成され、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用され、また、制御モジュール１１は、着用可能デバイスのモデムがオン状態にある場合、受信器を制御して、ネットワークデバイスによって送られる遠隔無線通信サービスの内容を受け取るようにさらに構成される。
【０１０４】
本発明のこの実施形態において提供される着用可能デバイスは、上記方法実施形態を実行することがあり、実施態様原理およびその技術的効果は同様であり、詳細は、本明細書においては説明されない。
【０１０５】
図９は、本発明による着用可能デバイスの実施形態２の概略構造図である。この実施形態では、遠隔無線通信サービス情報は、遠隔無線通信サービスのプロンプトメッセージを含む。図８に示されている上記実施形態を基本にして、図９に示されているように、着用可能デバイスは、スイッチモジュール１２をさらに含むことがある。
【０１０６】
具体的には、スイッチモジュール１２は、着用可能デバイスのモデムがオフ状態にある場合に、制御モジュール１１が受信器を制御して、短距離通信の方式で端末によって送信される遠隔無線通信サービス情報を受け取ると、ユーザによって入力される選択命令に従ってモデムをターンオンするように構成され、選択命令は、遠隔無線通信サービスのプロンプト情報に従ってユーザによって入力される、モデムをターンオンすることを選択する命令であり、また、
制御モジュール１１は、とりわけ、モデムを制御して、受信器によって受け取られた遠隔無線通信サービスの内容を処理するように構成される。
【０１０７】
本発明のこの実施形態において提供される着用可能デバイスは、上記方法実施形態を実行することがあり、実施態様原理およびその技術的効果は同様であり、詳細は、本明細書においては説明されない。
【０１０８】
任意選択で、遠隔無線通信サービス情報が遠隔無線通信サービスの内容を含んでいる場合、制御モジュール１１は、着用可能デバイスのモデムがオフ状態にある場合に、受信器を制御して、短距離通信の方式で端末によって送信される遠隔無線通信サービス情報を受け取ると、送信器を制御して、短距離通信の方式で、遠隔無線通信サービスの内容に対する応答情報を端末に送信するようにさらに構成され、それにより端末は、応答情報をネットワークデバイスに送り、応答情報は、ユーザによって、遠隔無線通信サービスの内容に従って着用可能デバイス上で応答される情報である。
【０１０９】
任意選択で、制御モジュール１１は、着用可能デバイスのモデムがオフ状態にある場合に、受信器を制御して、短距離通信の方式で端末によって送信される遠隔無線通信サービス情報を受け取る前に、送信器を制御して、短距離通信の方式で、指定された通信ソフトウェアを開始する命令を端末に送るようにさらに構成され、それにより端末は、命令に従って、指定された通信ソフトウェアを開始するか、またはユーザを促して指定された通信ソフトウェアを開始し、また、端末は、指定された通信ソフトウェアの新しいメッセージを受け取り、かつ、新しいメッセージを着用可能デバイスに転送する。
【０１１０】
任意選択で、遠隔無線通信サービスの内容は、ネットワークデバイスによって、着用可能デバイスの情報伝達設定に従って端末に送られる。
【０１１１】
任意選択で、遠隔無線通信サービスの内容は、ネットワークデバイスによって、登録された通信ソフトウェアのユーザ名に従って端末に送られる。
【０１１２】
本発明のこの実施形態において提供される着用可能デバイスは、上記方法実施形態を実行することがあり、実施態様原理およびその技術的効果は同様であり、詳細は、本明細書においては説明されない。
【０１１３】
図１０は、本発明による着用可能デバイスの実施形態３の概略構造図である。図１０に示されているように、着用可能デバイスは、プロセッサ２１、受信器２２、メモリ２３、少なくとも１つの通信バス２４およびモデム２５を含むことがある。通信バス２４は、構成要素間の通信接続を実現するように構成される。メモリは、高速ＲＡＭメモリを含むことがあり、または不揮発性メモリＮＶＭ、例えば少なくとも１つの磁気ディスクメモリを含むことがある。メモリ２３は、様々な処理機能を完了し、また、実施形態の方法およびステップを実現するために使用される様々なプログラムを記憶することがある。モデム２５は、デジタル信号に対する変調処理またはアナログ信号に対する復調処理を実施するように構成される。
【０１１４】
具体的には、この実施形態では、プロセッサ２１は、着用可能デバイスのモデム２５がオフ状態にある場合、受信器２２を制御して、短距離通信の方式で端末によって送信される遠隔無線通信サービス情報を受け取るように構成され、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデム２５をターンオンするかどうかを決定するために使用され、また、
プロセッサ２１は、着用可能デバイスのモデム２５がオン状態にある場合、受信器２２を制御して、ネットワークデバイスによって送られる遠隔無線通信サービスの内容を受け取るようにさらに構成される。
【０１１５】
本発明のこの実施形態において提供される着用可能デバイスは、上記方法実施形態を実行することがあり、実施態様原理およびその技術的効果は同様であり、詳細は、本明細書においては説明されない。
【０１１６】
本発明のこの実施形態の可能実施態様方式では、遠隔無線通信サービス情報が遠隔無線サービスのプロンプトメッセージを含んでいる場合、プロセッサ２１は、着用可能デバイスのモデム２５がオフ状態にある場合に、受信器２２を制御して、短距離通信の方式で端末によって送信される遠隔無線通信サービス情報を受け取ると、ユーザによって入力される選択命令に従ってモデム２５をターンオンするようにさらに構成され、選択命令は、遠隔無線通信サービスのプロンプト情報に従ってユーザによって入力される、モデム２５をターンオンすることを選択する命令であり、また、
プロセッサ２１は、とりわけ、モデム２５を制御して、受信器２２によって受け取られた遠隔無線通信サービスの内容を処理するように構成される。
【０１１７】
図１１は、本発明による着用可能デバイスの実施形態４の概略構造図である。この実施形態では、遠隔無線通信サービス情報は、遠隔無線通信サービスの内容を含む。図１０に示されている上記実施形態を基本にして、図１１に示されているように、着用可能デバイスは、送信器２６をさらに含むことがある。
【０１１８】
具体的には、プロセッサ２１は、着用可能デバイスのモデム２５がオフ状態にある場合に、受信器２２を制御して、短距離通信の方式で端末によって送信される遠隔無線通信サービス情報を受け取ると、送信器２６を制御して、短距離通信の方式で、遠隔無線通信サービスの内容に対する応答情報を端末に送信するようにさらに構成され、それにより端末は、応答情報をネットワークデバイスに送り、応答情報は、ユーザによって、遠隔無線通信サービスの内容に従って着用可能デバイス上で応答される情報である。
【０１１９】
上記実施形態を基本にして、プロセッサ２１は、着用可能デバイスのモデム２５がオフ状態にある場合に、受信器２２を制御して、短距離通信の方式で端末によって送信される遠隔無線通信サービス情報を受け取る前に、送信器２６を制御して、短距離通信の方式で、指定された通信ソフトウェアを開始する命令を端末に送るようにさらに構成され、それにより端末は、命令に従って、指定された通信ソフトウェアを開始するか、またはユーザを促して指定された通信ソフトウェアを開始し、また、端末は、指定された通信ソフトウェアの新しいメッセージを受け取り、かつ、新しいメッセージを着用可能デバイスに転送する。
【０１２０】
任意選択で、遠隔無線通信サービスの内容は、ネットワークデバイスによって、着用可能デバイスの情報伝達設定に従って端末に送られる。
【０１２１】
任意選択で、遠隔無線通信サービスの内容は、ネットワークデバイスによって、登録された通信ソフトウェアのユーザ名に従って端末に送られる。
【０１２２】
本発明のこの実施形態において提供される着用可能デバイスは、上記方法実施形態を実行することがあり、実施態様原理およびその技術的効果は同様であり、詳細は、本明細書においては説明されない。
【０１２３】
図１２は、本発明による端末の実施形態１の概略構造図である。図１２に示されているように、端末は、送信器を制御して、短距離通信の方式で、そのモデムがオフ状態にある着用可能デバイスに遠隔無線通信サービス情報を送信するように構成された制御モジュール３１を含み、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデムをターンオンするかどうかを決定するために使用される。
【０１２４】
本発明のこの実施形態において提供される端末は、上記方法実施形態を実行することがあり、実施態様原理およびその技術的効果は同様であり、詳細は、本明細書においては説明されない。
【０１２５】
本発明のこの実施形態の可能実施態様方式では、さらに、遠隔無線通信サービスの上記プロンプト情報は、ユーザによって入力される選択命令に従って、着用可能デバイスによるモデムのターンオンを可能にし、かつ、モデムを使用することにより、着用可能デバイスによって受け取られる遠隔無線通信サービスの内容を処理するために使用され、選択命令は、遠隔無線通信サービスのプロンプトメッセージに従ってユーザによって入力される、モデムをターンオンすることを選択する命令である。
【０１２６】
本発明のこの実施形態の別の可能実施態様方式では、この実施形態では、遠隔無線通信サービス情報が遠隔無線通信サービスの内容を含んでいる場合、制御モジュール３１は、送信器を制御して、短距離通信の方式で、そのモデムがオフ状態にある着用可能デバイスに遠隔無線通信サービス情報を送信した後、受信器を制御して、遠隔無線通信サービスに対する応答情報であり、また、短距離通信の方式で着用可能デバイスによって送信される応答情報を受け取るようにさらに構成され、応答情報は、ユーザによって、遠隔無線通信サービスの内容に従って着用可能デバイス上で応答される情報であり、また、制御モジュール３１は、送信器を制御して、応答情報をネットワークデバイスに送るように構成される。
【０１２７】
図１３は、本発明による端末の実施形態２の概略構造図である。図１２に示されている上記実施形態を基本にして、さらに、端末は、スイッチモジュール３２をさらに含むことがあり、
制御モジュール３１は、送信器を制御して、短距離通信の方式で、そのモデムがオフ状態にある着用可能デバイスに遠隔無線通信サービス情報を送信する前に、受信器を制御して、指定された通信ソフトウェアを開始する命令であり、また、短距離通信の方式で着用可能デバイスによって送られる命令を受け取るようにさらに構成され、
スイッチモジュール３２は、命令に従って、指定された通信ソフトウェアを開始するか、またはユーザを促して指定された通信ソフトウェアを開始するように構成され、また、
制御モジュール３１は、受信器を制御して、指定された通信ソフトウェアの新しいメッセージを受け取り、かつ、送信器を制御して、指定された通信ソフトウェアの新しいメッセージを着用可能デバイスに転送するようにさらに構成される。
【０１２８】
任意選択で、遠隔無線通信サービスの内容は、ネットワークデバイスによって、着用可能デバイスの情報伝達設定に従って端末に送られる。
【０１２９】
任意選択で、遠隔無線通信サービスの内容は、ネットワークデバイスによって、登録された通信ソフトウェアのユーザ名に従って端末に送られる。
【０１３０】
本発明のこの実施形態において提供される端末は、上記方法実施形態を実行することがあり、実施態様原理およびその技術的効果は同様であり、詳細は、本明細書においては説明されない。
【０１３１】
図１４は、本発明による端末の実施形態３の概略構造図である。図１４に示されているように、端末は、送信器４１、プロセッサ４２、メモリ４３、少なくとも１つの通信バス４４およびモデム４５を含む。通信バス４４は、構成要素間の通信接続を実現するように構成される。メモリ４３は、高速ＲＡＭメモリを含むことがあり、または不揮発性メモリＮＶＭ、例えば少なくとも１つの磁気ディスクメモリを含むことがある。メモリ４３は、様々な処理機能を完了し、また、実施形態の方法およびステップを実現するために使用される様々なプログラムを記憶することがある。モデム４５は、デジタル信号に対する変調処理またはアナログ信号に対する復調処理を実施するように構成される。
【０１３２】
具体的には、この実施形態では、プロセッサ４２は、送信器４１を制御して、短距離通信の方法で、そのモデム４５がオフ状態にある着用可能デバイスに遠隔無線通信サービス情報を送信するように構成され、遠隔無線通信サービス情報は、遠隔無線通信サービスのプロンプトメッセージまたは遠隔無線通信サービスの内容を含み、また、遠隔無線通信サービスのプロンプトメッセージは、ユーザを促してモデム４５をターンオンするかどうかを決定するために使用される。
【０１３３】
本発明のこの実施形態において提供される端末は、上記方法実施形態を実行することがあり、実施態様原理およびその技術的効果は同様であり、詳細は、本明細書においては説明されない。
【０１３４】
本発明のこの実施形態の可能実施態様方式では、遠隔無線通信サービスのプロンプト情報は、ユーザによって入力される選択命令に従って、着用可能デバイスによるモデム４５のターンオンを可能にし、かつ、モデム４５を使用することにより、着用可能デバイスによって受け取られる遠隔無線通信サービスの内容を処理するために使用され、選択命令は、遠隔無線通信サービスのプロンプトメッセージに従ってユーザによって入力される、モデム４５をターンオンすることを選択する命令である。
【０１３５】
図１５は、本発明による端末の実施形態４の概略構造図である。この実施形態では、遠隔無線通信サービス情報は、遠隔無線通信サービスの内容を含む。図１４に示されている上記実施形態を基本にして、さらに、端末は、受信器４６をさらに含むことがあり、
プロセッサ４２は、送信器４１を制御して、短距離通信の方式で、そのモデム４５がオフ状態にある着用可能デバイスに遠隔無線通信サービス情報を送信した後、受信器４６を制御して、遠隔無線通信サービスに対する応答情報であり、また、短距離通信の方式で着用可能デバイスによって送信される応答情報を受け取るようにさらに構成され、応答情報は、ユーザによって、遠隔無線通信サービスの内容に従って着用可能デバイス上で応答される情報であり、また、
プロセッサ４２は、送信器４１を制御して、応答情報をネットワークデバイスに送るようにさらに構成される。
【０１３６】
上記実施形態を基本にして、プロセッサ４２は、送信器４１を制御して、短距離通信の方式で、そのモデム４５がオフ状態にある着用可能デバイスに遠隔無線通信サービス情報を送信する前に、受信器４６を制御して、指定された通信ソフトウェアを開始する命令であり、また、短距離通信の方式で着用可能デバイスによって送られる命令を受け取るようにさらに構成され、また、プロセッサ４２は、命令に従って、指定された通信ソフトウェアを開始するか、またはユーザを促して指定された通信ソフトウェアを開始し、また、受信器４６を制御して、指定された通信ソフトウェアの新しいメッセージを受け取り、かつ、送信器４１を制御して、指定された通信ソフトウェアの新しいメッセージを着用可能デバイスに転送するようにさらに構成される。
【０１３７】
任意選択で、遠隔無線通信サービスの内容は、ネットワークデバイスによって、着用可能デバイスの情報伝達設定に従って端末に送られる。
【０１３８】
任意選択で、遠隔無線通信サービスの内容は、ネットワークデバイスによって、登録された通信ソフトウェアのユーザ名に従って端末に送られる。
【０１３９】
本発明のこの実施形態において提供される端末は、上記方法実施形態を実行することがあり、実施態様原理およびその技術的効果は同様であり、詳細は、本明細書においては説明されない。
【０１４０】
最後に、上記実施形態は、本発明の技術的解決法を説明するために単に意図されたものにすぎず、本発明を制限するものではないことに留意されたい。本発明は、上記実施形態を参照して詳細に説明されているが、当業者は、それらが、本発明の実施形態の技術的解決法の範囲を逸脱することなく、上記実施形態の中で説明されている技術的解決法にさらに修正を加えることがあり、またはそのいくつかまたはすべての技術的特徴に対する等価置換を加えることがあることを理解すべきである。
【図１】
2018129827.tif 000003
【図２】
2018129827.tif 000004
【図３】
2018129827.tif 000005
【図４】
2018129827.tif 000006
【図５】
2018129827.tif 000007
【図６】
2018129827.tif 000008
【図７】
2018129827.tif 000009
【図８】
2018129827.tif 000010
【図９】
2018129827.tif 000011
【図１０】
2018129827.tif 000012
【図１１】
2018129827.tif 000013
【図１２】
2018129827.tif 000014
【図１３】
2018129827.tif 000015
【図１４】
2018129827.tif 000016
【図１５】
2018129827.tif 000017
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
通信システムであって、スマートウォッチおよび携帯電話を備え、前記スマートウォッチは、２Ｇ、３Ｇ、または４Ｇ無線通信を行うように構成されるモデムを含み、
前記スマートウォッチは、
前記モデムをターンオンすることであって、オン状態にある前記モデムは基地局から入電を受けるように構成される、ことと、
前記スマートウォッチと前記携帯電話との間の短距離通信接続に応答して前記モデムをターンオフすることと、を行うように構成され、
前記携帯電話は、
前記基地局から、無線通信サービスの内容を受信し、
前記短距離通信接続を介して、前記無線通信サービスの前記内容を前記スマートウォッチに送信するように構成され、
前記スマートウォッチは、
前記携帯電話と、オフ状態にある前記モデムを有する前記スマートウォッチとの間の前記短距離通信接続を介して、前記無線通信サービスの前記内容を受信するようにさらに構成されることを特徴とする通信システム。
【請求項２】
前記短距離通信接続は、前記スマートウォッチのＢｌｕｅｔｏｏｔｈ回路により確立されたＢｌｕｅｔｏｏｔｈ接続であることを特徴とする請求項１に記載のシステム。
【請求項３】
前記短距離通信接続は、前記スマートウォッチのＷｉＦｉ回路により確立されたＷｉＦｉ接続であることを特徴とする請求項１に記載のシステム。
【請求項４】
前記無線通信サービスは、入電、ショートメッセージ、またはマルチメディアメッセージングを含むことを特徴とする請求項１に記載のシステム。
【請求項５】
前記スマートウォッチは、
前記オフ状態にある前記モデムによる前記短距離通信接続を介して、前記携帯電話に応答情報を送信するようにさらに構成され、前記応答情報は前記無線通信サービスの前記内容に応答し、
前記携帯電話は、
前記基地局に前記応答情報を送信するようにさらに構成されることを特徴とする請求項１に記載のシステム。
【請求項６】
前記スマートウォッチは、ＷｉＦｉ回路、および／またはＢｌｕｅｔｏｏｔｈ回路を統合するサービスプロセッサをさらに含むことを特徴とする請求項１に記載のシステム。
【請求項７】
前記携帯電話は、
前記スマートウォッチの前記モデムが前記オフ状態にあることを知った後で、前記基地局に、前記無線通信サービスの前記内容を前記携帯電話に送信するよう通知するようにさらに構成され、前記内容は、前記スマートウォッチに本来送信されるべきであると指定されたものであることを特徴とする請求項１に記載のシステム。
【請求項８】
前記オフ状態にある前記モデムを有する前記スマートウォッチは、
前記基地局に前記携帯電話の識別を送信し、前記基地局が、前記携帯電話の前記識別に従って、前記携帯電話に前記内容を送信することを容易にするようにさらに構成され、前記内容は前記スマートウォッチに本来送信されるべきであると指定されたものであることを特徴とする請求項１に記載のシステム。
【請求項９】
前記スマートウォッチおよび前記携帯電話は異なる識別を有することを特徴とする請求項１に記載のシステム。
【請求項１０】
前記オフ状態にある前記モデムを有する前記スマートウォッチは、
前記携帯電話に、前記短距離通信接続を介して指定された通信ソフトウェアを開始する命令を送信するようにさらに構成され、
前記携帯電話は、
前記命令に従って、前記指定された通信ソフトウェアを開始するかまたは前記指定された通信ソフトウェアを開始するようユーザに促すようにさらに構成されることを特徴とする請求項１に記載のシステム。
【請求項１１】
前記携帯電話は、
前記指定された通信ソフトウェアの新たなメッセージを受信し、
前記新たなメッセージを、前記短距離通信接続を介して前記オフ状態にある前記モデムを有する前記スマートウォッチに転送するようにさらに構成されることを特徴とする請求項１０に記載のシステム。
【請求項１２】
スマートウォッチであって、
２Ｇ、３Ｇ、または４Ｇ無線通信を行うように構成されるモデムと、
１または複数のプロセッサと、
１または複数のプログラムを記憶するように構成されるメモリと
を備え、前記１または複数のプログラムは、前記１または複数のプロセッサにより実行されるように構成され、前記１または複数のプログラムは、
前記モデムをターンオンすることであって、オン状態にある前記モデムは基地局から入電を受けるように構成される、ことと、
前記スマートウォッチと携帯電話との間の短距離通信接続に応答して前記モデムをターンオフすることと、
前記携帯電話と、オフ状態にある前記モデムを有する前記スマートウォッチとの間の前記短距離通信接続を介して、無線通信サービスの内容を受信することと
を行うように構成される命令を含むことを特徴とするスマートウォッチ。
【請求項１３】
前記短距離通信接続は、前記スマートウォッチのＢｌｕｅｔｏｏｔｈ回路により確立されたＢｌｕｅｔｏｏｔｈ接続であることを特徴とする請求項１２に記載のスマートウォッチ。
【請求項１４】
前記短距離通信接続は、前記スマートウォッチのＷｉＦｉ回路により確立されたＷｉＦｉ接続であることを特徴とする請求項１２に記載のスマートウォッチ。
【請求項１５】
前記無線通信サービスは、入電、ショートメッセージ、またはマルチメディアメッセージングを含むことを特徴とする請求項１２に記載のスマートウォッチ。
【請求項１６】
前記１または複数のプログラムは、前記オフ状態にある前記モデムによる前記短距離通信接続を介して、前記携帯電話に応答情報を送信するように構成される命令をさらに含み、前記応答情報は前記無線通信サービスの前記内容に応答することを特徴とする請求項１２に記載のスマートウォッチ。
【請求項１７】
前記１または複数のプログラムは、前記基地局に前記携帯電話の識別を送信し、前記基地局が、前記携帯電話の前記識別に従って、前記携帯電話に前記内容を送信することを容易にするように構成される命令をさらに含み、前記内容は前記スマートウォッチに本来送信されるべきであると指定されたものであることを特徴とする請求項１２に記載のスマートウォッチ。
【請求項１８】
前記１または複数のプログラムは、前記携帯電話に、前記短距離通信接続を介して指定された通信ソフトウェアを開始する命令を送信し、
前記短距離通信接続を介して、前記携帯電話により送信された、前記指定された通信ソフトウェアの新たなメッセージを受信するように構成される命令をさらに含むことを特徴とする請求項１７に記載のスマートウォッチ。
【請求項１９】
前記スマートウォッチおよび前記携帯電話は異なる識別を有することを特徴とする請求項１２に記載のスマートウォッチ。
【請求項２０】
スマートウォッチに適用される通信方法であって、前記スマートウォッチは２Ｇ、３Ｇ、または４Ｇ無線通信を行うように構成されるモデムを備え、前記方法は、
前記モデムをターンオンするステップであって、オン状態にある前記モデムは基地局から入電を受けるように構成される、ステップと、
前記スマートウォッチと携帯電話との間の短距離通信接続に応答して前記モデムをターンオフするステップと、
前記携帯電話と、オフ状態にある前記モデムを有する前記スマートウォッチとの間の前記短距離通信接続を介して、無線通信サービスの内容を受信するステップと
を含むことを特徴とする通信方法。
【外国語明細書】
2018129827000001.pdf